(57)【要約】      （修正有）【課題】収納空間の嵩高、水面における使用者の姿勢不安定、使用後の乾燥性欠如を改善する浮力補助胴衣を提供する。【解決手段】浮力補助胴衣１は、右前身ごろ１０と、左前身ごろ３０と、後身ごろ５０と、首部７０と、により構成されている。右前身ごろ１０には、３つの収納袋１７ａ、１７ｂ、１７ｃが縫着され、３つの浮力材１８ａ、１８ｂ、１８ｃが収納されている。左前身ごろ３０には、３つの収納袋３７ａ、３７ｂ、３７ｃが縫着され、３つの浮力材３８ａ、３８ｂ、３８ｃが収納されている。浮力補助胴衣１の表地、裏地及び収納袋は、メッシュ素材により形成されている。【選択図】図１
0003202718.tif 000002
【実用新案登録請求の範囲】
【請求項１】
後身ごろと、前記後身ごろに縫着された右前身ごろと、前記後身ごろに縫着された左前
身ごろと、前記後身ごろに縫着された襟首部と、を備える浮力補助胴衣であって、
前記後身ごろは、
使用者の背部にあてがう第１布地と、板状の浮力材が収納され、周縁が前記第１布地に
対して折り畳み可能に縫着された１つ又は複数の第１収納袋と、を有し、
前記右前身ごろは、
前記使用者の右胸部及び右上腹部にあてがう第２布地と、板状の浮力材がそれぞれ収納
され、周縁が前記第２布地に対して折り畳み可能に縫着された複数の第２収納袋と、を有
し、前記第２布地の上部が前記後身ごろの上部に縫着され、且つ、前記第２布地の右部が
前記後身ごろの右部に対して第１連結部材により連結され、
前記左前身ごろは、
前記使用者の左胸部及び左上腹部にあてがう第３布地と、板状の浮力材がそれぞれ収納
され、周縁が前記第３布地に対して折り畳み可能に縫着された複数の第３収納袋と、を有
し、前記第３布地の上部が前記後身ごろの上部に縫着され、且つ、前記第３布地の左部が
前記後身ごろの左部に対して第２連結部材により連結され、前記第３布地の左前開き部が
前記第２布地の右前開き部に対して接合部により連結され、
前記襟首部は、
前記使用者の襟首にあてがう第４布地と、板状の浮力材が収納され、周縁が前記第４布
地の周縁に対して縫着された第４収納袋と、を有し、前記第４布地の下部が、前記後身ご
ろの上部に対して折り畳み可能に縫着され、
前記第１布地、前記第２布地、前記第３布地、前記第４布地、前記第１収納袋、前記第
２収納袋、前記第３収納袋及び前記第４収納袋け、透水性を有する生地により形成されて
いることを特徴とする浮力補助胴衣。
【請求項２】
前記右前見ごろの下部と、前記後見ごろの右下部と、が前記使用者の右大腿部の内側を
通る第３連結部材により連結され、
前記左前見ごろの下部と、前記後見ごろの左下部と、が前記使用者の左大腿部の内側を
通る第４連結部材により連結されていることを特徴とする請求項１記載の浮力補助胴衣。
【請求項３】
前記第１連結部材は、第１ベルトにより形成され、
前記第２連結部材は、第２ベルトにより形成されていることを特徴とする請求項１記載の浮力補助胴衣。
【請求項４】
前記第３連結部材は、第３ベルトにより形成され、
前記第４連結部材は、第４ベルトにより形成されていることを特徴とする請求項２記載の浮力補助胴衣。
【請求項５】
前記接合部は、
前記右前開き部と前記左開き部とを開閉自在に連結するファスナーと
前記右前身ごろの下部と、前記左前身ごろの下部と、を着脱自在に連結する連結具付きの第５ベルトと、
により構成されていることを特徴とする請求項１記載の浮力補助胴衣。
【請求項６】
前記第１布地は、周縁が互いに縫着された第１表地及び第１裏地から形成され、
前記第２布地は、周縁が互いに縫着された第２表地及び第２裏地から形成され、
前記第３布地は、周縁が互いに縫着された第３表地及び第３裏地から形成され、
前記第４布地は、周縁が互いに縫着された第４表地及び第４裏地から形成されていることを特徴とする請求項１記載の浮力補助胴衣。
【請求項７】
前記生地は、メッシュ素材により形成されていることを特徴とする請求項１記載の浮力
補助胴衣。
【請求項８】
前記第１収納袋、前記第２収納袋、前記第３収納袋及び前記第４収納袋には、それぞれ
耿出し自在に前記浮力材が収納されていることを特徴とする請求項１記載の浮力補助胴衣
【請求項９】
前記浮力材は、発泡樹脂により形成されていることを特徴とする請求項１記載の浮力補
助胴衣。
【請求項１０】
前記右前身ごろは、前記複数の第２収納袋間を折り目にして前記後身ごろの表側に折り
畳まれ、
前記左前身ごろは、前記複数の第３収納袋間を折り目にして前記後身ごろの表側に折り
畳まれ、
前記後身ごろは、前記右前身ごろ及び前記左前身ごろの折り畳みに対応して、前記後身頃の表側に折り畳まれ、
前記襟首部は、前記後身ごろの裏側に折り畳まれて、
収納ケースに取出し自在に収納可能であることを特徴とする請求項１記載の浮力補助胴衣。
【考案の詳細な説明】
【技術分野】
【０００１】
本考案は、水中に転落した場合でも水面に浮いていられる浮力材付き救命胴衣としての浮力補助胴衣に関するものである。
【背景技術】
【０００２】
浮力補助胴衣は、災害や事故等により使用者が水中に転落等した場合でも水面に浮いていられるようにするため、左右の前身ごろ及び後身ごろに発砲樹脂等の軽量素材により形成された浮力材が装着されている。浮力材は、使用者が水中で浮くだけの浮力を確保するため、一定の厚みを有している。
【０００３】
浮力補助胴衣は、浮力材が装着されているため、通常の衣服に比べて左右前身ごろ及び後身ごろの厚みが大きくなっている。そのため、浮力補助胴衣を着用すると身動きが取りづらくなるという欠点があった。更に、足元が見えづらくなることにより、かえって水中に転落する危険が増すという欠点があった。
【０００４】
以上の欠点を解消するため、従来、例えば下記の特許文献１及び２に記載されているように、浮力材を複数の小片に分割することにより、着用時の身動きを改善する浮力補助胴衣が知られている。
【先行技術文献】
【特許文献】
【０００５】
【特許文献１】実公平７−３８０７５号公報
【特許文献２】実登２５１０３４９号公報
【考案の概要】
【考案が解決しようとする課題】
【０００６】
しかしながら、従来の浮力補助胴衣では、次の（ａ）〜（ｃ）のような課題があった。
（ａ）  収納空間の嵩高
従来の浮力補助胴衣は嵩張るため、着用しない場合には浮力補助胴衣を収納するために一定の空間が必要であり、収納が容易でない。
【０００７】
（ｂ）  水面における使用者の姿勢不安定
従来の浮力補助胴衣は、使用者が水中に転落等した際、水面に対して安定した姿勢で浮くことが困難である。
【０００８】
（ｃ）  使用後の乾燥匹欠如
従来の浮力補助胴衣は、水密性を有する素材により形成されている。しかし、浮力補助胴衣を着用して水中に転落等すると、完全に水の浸入を防ぐことは不可能であるため、浮力補助胴衣内部に浸水する。そのため、浮力補助胴衣内部に水が浸入した場合に、乾燥させることは容易ではない。
【課題を解決するための手段】
【０００９】
本考案である浮力補助胴衣は、後身ごろと、前記後身ごろに縫着された右前身ごろと、前記後身ごろに縫着された左前身ごろと、前記後身ごろに縫着された襟首部と、を備えている。前記後身ごろは、使用者の背部にあてがう第１布地と、板状の浮力材が収納され、周縁が前記第１布地に対して折り畳み可能に縫着された１つ又は複数の第１収納袋と、を有している。前記右前身ごろは、前記使用者の右胸部及び右上腹部にあてがう第２布地とれた複数の第２収納袋と、を有し、前記第２布地の上部が前記後身ごろの上部に縫着され、且つ、前記第２布地の右部が前記後身ごろの右部に対して第１連結部材により連結されている。
【００１０】
前記左前身ごろは、前記使用者の左胸部及び左上腹部にあてがう第３布地と、板状の浮力材がそれぞれ収納され、周縁が前記第３布地に対して折り畳み可能に縫着された複数の第３収納袋と、を有し、前記第３布地の上部が前記後身ごろの上部に縫着され、且つ、前記第３布地の左部が前記後身ごろの左部に対して第２連結部材により連結され、前記第３布地の左前開き部が前記第２布地の右前開き部に対して接合部により連結されている。前記襟首部は、前記使用者の襟首にあてがう第４布地と、板状の浮力材が収納され、周縁が前記第４布地の周縁に対して縫着された第４収納袋と、を有し、前記第４布地の下部が、前記後身ごろの上部に対して折り畳み可能に縫着されている。
【００１１】
そして、前記第１布地、前記第２布地、前記第３布地、前記第４布地、前記第１収納袋、前記第２収納袋、前記第３収納袋及び前記第４収納袋は、透水性を有する生地により形成されていることを特徴とする。
【考案の効果】
【００１２】
本考案によれば、次の（ａ）〜（ｃ）のような効果かおる。
（ａ）  収納空間の小型化
浮力材収納袋は、折り畳み可能に縫着されている。そのため、浮力補助胴衣を折り畳むことにより、小型に収納することが容易となる。
【００１３】
（ｂ）  水面における使用者の姿勢安定化
浮力材収納袋が縫着された襟首部が後身ごろに取り付けられている。そのため、使用者は、水中に転落した場合等でも安定した姿勢で浮くことが容易となる。
【００１４】
（ｃ）  使用後の乾燥匹向上
表地、裏地及び浮力材収納袋は、透水性を有する生地により形成されている。そのため、浮力補助胴衣の乾燥匹を向上させる。
【図面の簡単な説明】
【００１５】
【図１】図１は、本考案の実施例１における浮力補助胴衣を示す斜視図である。
【図２】図２は、図１に示す浮力補助胴衣の正面図である。
【図３】図３は、図１に示す浮力補助胴衣の背面図である。
【図４】図４は、図１の浮力補助胴衣のファスナー開放時を示す正面図である。
【図５】図５は、図１の浮力補助胴衣における表地を示す拡大図である。
【図６−１】図６−１は、図２中のＩ１−１１線拡大断面図である。
【図６−２】図６−２は、図２中の１２−１２線拡大断面図である。
【図６−３】図６−３は、図３中の１３−１３線拡大断面図である。
【図６−４】図６−４は、図３中の14-14線拡大断面図である。
【図７−１】図7−１は、図１の浮力補助胴衣の着用例を示す模式図である。
【図７−２】図７−２は、図１の浮力補助胴衣の着用例を示す模式図である。
【図７−３】図７−３は、図１の浮力補助胴衣の着用例を示す模式図である。
【図７−４】図７−４は、図１の浮力補助胴衣の着用例を示す模式図である。
【図８】図８は、図１の浮力補助胴衣を折り畳んだ状態を示す正面図である。
【図９】図９は、図１の浮力補助胴衣を収納する胴衣収納ケースを示す斜視図である
【考案を実施するための形態】
【００１６】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１７】
（実施例１の構成）
図１は、本考案の実施例１における浮力補助胴衣１を示す斜視図である。図２は、図１に示す浮力補助胴衣１の正面図である。及び、図３は、図１に示す浮力補助胴衣１の背面図である。
【００１８】
図１に示すように、浮力補助胴衣１は、袖が無く、首周り前方をＶ字状に開いたベストの形状であり、大人用のものである。浮力補助胴衣１は、右前身ごろ１０と、左前身ごろ３０と、右前身ごろ１０及び左前身ごろ３０に縫着された後身ごろ５０と、後身ごろ５０に縫着された襟首部７０と、により構成されている。
【００１９】
図２に示すように、右前身ごろ１０は、浮力補助胴衣１を着用した時に使用者の右胸部及び右上腹部にあてがう部分であり、長手方向を上下方向とした略長方形状から左上部の一部を斜めに切断した形状を有している。右前身ごろ１０は、上部１１と、右部１２と、右前開き部１３と、下部１４と、を有し、約３〜４ｃｍの厚さを有している。
【００２０】
左前身ごろ３０は、浮力補助胴衣１を着用した時に使用者の左胸部及び左上腹部にあてがう部分であり、長手方向を上下方向とした略長方形状から右上部の一部を斜めに切断した形状を有している。左前身ごろ３０は、上部３１と、左部３２と、左前開き部３３と、下部３４と、を有し、約３〜４ｃｍの厚さを有している。左前開き部３３は、右前身ごろ１０の右前開き部１３と、接合部としてのファスナー８１により開閉自在に連結され、接合部としての２つの第５ベルト８２ａ、８２ｂにより着脱自在に連結されている。２つの第５ベルト８２ａ、８２ｂは、それぞれ連結具としての２つのカバーバックル８７ａ、８７ｂを有している。
【００２１】
図３に示すように、後身ごろ５０は、浮力補助胴衣１を着用した時に使用者の背部にあてがう部分であり、長手方向を上下方向とした略長方形状を有している。後身ごろ５０は、上部５１と、右部５２と、左部５３と、右下部５４と、左下部５５と、を有し、約３〜４ｃｍの厚さを有している。上部５１は、右前身ごろ１０の上部１１及び左前身ごろ３０の上部３１に縫着されている。右部５２は、右前身ごろ１０の右部１２に対して、第１連結部材としての２つの第１ベルト８３a,８３ｂにより連結されている。左部５３は、左前身ごろ３０の左部３２に対して、第２連結部材としての２つの第２ベルト８４a、８４
ｂにより連結されている。右下部５４は、右前身ごろ１０の下部１４に対して、第３連結部材としての第３ベルト８５により連結されている。左下部５５は、左前身ごろ３０の下部３４に対して、第４連結部材としての第４ベルト８６により連結されている。第３ベルト８５は、長さ調整具８８ａを有している。第４ベルト８６は、長さ調整具８８ｂを有している。
【００２２】
襟首部７０は、浮力補助胴衣１を着用した時に使用者の襟首にあてがう部分であり、長
手方向を左右方向とした略台形状であり、約３〜４ｃｍの厚さを有している。襟首部５の
下部７１は、後身ごろ５０の上部５１に縫着されている。
【００２３】
図４は、図１の浮力補助胴衣１のファスナー開放時を示す正面図である。図５は、図２
の浮力補助胴衣１における表地１５を示す拡大図である。図6−１は、図２中の１１−１
１線拡大断面図である。図６−２は、図２中の12-12線拡大断面図である。図６−３
拡大断面図である。
【００２４】
図２及び図４に示すように、右前身ごろ１０は、第２布地を形成する第２表地としての
表地１５と、第２布地を形成する第２裏地としての裏地１６と、を有し、周縁が互いに縫
着されている。表地１５は、図５に示すように、ポリエステル等の合成繊維を材質とする
メッシュ素材の生地により形成され、透水性を有している。裏地１６も表地１５と同様の
生地により形成され、透水性を有している。
【００２５】
図２及び図6−１に示すように、右前身ごろ１０には、第２収納袋を形成する３つの収
納袋１７ａ、１７ｂ、１７ｃの周縁が表地１５に縫着されている。３つの収納袋１７a、１７ｂ、１７ｃには、それぞれ板状の２枚１組の３つの浮力材１８ａ、１８ｂ、１８ｃが
収納されている。  ３つの浮力材１８ａ、１８ｂ、１８ｃは、浮力を有する発泡ポリエチレン等の発泡樹脂により形成されている。更に、右前身ごろ１０には、反射シート１９が収納袋１７ａの表面に縫着され、表ポケット２０が収納袋１７ｂの表面に縫着されている。
【００２６】
図２及び図４に示すように、左前身ごろ３０は、第３布地を形成する第３表地としての
表地３５と、第３布地を形成する第３裏地としての裏地３６と、を有し、周縁が互いに縫
着されている。表地３５及び裏地３６は、図５の右前身ごろ１０の表地１５と同様の生地
により形成され、透水性を有している。
【００２７】
図２及び図６−２に示すように、左前身ごろ３０には、第３収納袋を形成する３つの収
納袋３７ａ、３７ｂ、３７ｃの周縁が表地３５に縫着されている。３つの収納袋３７a、３７ｂ、３７ｃには、それぞれ板状の２枚１組の３つの浮力材３８a、３８ｂ、３８ｃが収納されている。３つの浮力材３８ａ、３８ｂ、３８ｃは、右前身ごろ１０の浮力材１８ａと同様の発泡樹脂により形成されている。更に、左前身ごろ３０には、反射シート３９が収納袋３７ａの表面に縫着され、表ポケット４０が収納袋３７ｂの表面に縫着されている。
【００２８】
図３及び図４に示すように、後身ごろ５０は、第１布地を形成する第１表地としての表
地５６と、第１布地を形成する第１裏地としての裏地５７と、を有し、周縁が互いに縫着
されている。表地５６及び裏地５７は、図５の右前身ごろ１０の表地１５と同様の生地に
より形成され、透水性を有している。後身ごろ５０は、折り畳み線６０の箇所で折り畳む
ことにより、浮力補助胴衣１を収納する。
【００２９】
図３及び図６−３に示すように、後身ごろ５０には、第１収納袋を形成する２つの収納
袋５８ａ、５８ｂの周縁が表地５６に縫着されている。２つの収納袋５８ａ、５８ｂには
、それぞれ板状の２枚１組の２つの浮力材５９ａ、５９ｂが収納されている。２つの浮力
材５９ａ、５９ｂは、右前身ごろ１０の浮力材１８ａと同様の発泡樹脂により形成されて
いる。後身ごろ５０には、反射シート６１が２つの収納袋５８ａ、５８ｂの表面に縫着さ
れている。更に、表地５６の上部には、襟紐６２が縫着されている。
【００３０】
図３及び図４に示すように、襟首部７０は、第４布地を形成する第４表地としての表地
７２と、第４布地を形成する第４裏地としての裏地７３と、を有し、周縁が互いに縫着さ
れている。表地７２及び裏地７３は、図５の右前身ごろ１０の表地１５と同様の生地によ
り形成され、透水性を有している。
【００３１】
図３及び図６−４に示すように、襟首部７０には、第４収納袋を形成する収納袋７４の
周縁が表地７２に縫着されている。収納袋７４には、それぞれ板状の２枚１組の浮力材７
５が収納されている。浮力材７５は、右前身ごろ１０の浮力材１８ａと同様の発泡樹脂に
【００３２】
図４に示すように、右前身ごろ１０の裏地１６下部には、裏ポケット２１が縫着されて
いる。左前身ごろ３０の裏地３６下部には、裏ポケット４１が縫着されている。
【００３３】
（実施例１の着用例）
図７−１〜図７−４は、図１の浮力補助胴衣１の着用例を示す模式図である。
図１の浮力補助胴衣１は、例えば、以下のような手順（１）〜（４）により着用される
。
【００３４】
（１）  図７−１の前開き部開放
使用者９０は、浮力補助胴衣１を折り畳まれた状態から開く。使用者９０は、連結され
た２つのカバーバックル８７ａ、８７ｂを左右方向に開き、閉じられたファスナー８１を
下方向に滑勣させて開く。図１のような前開き部が閉じられた状態から、図４に示すよう
に、右前身ごろ１０及び左前身ごろ３０を矢印方向に開放する。
【００３５】
（２）  図７−２の使用者の袖通し
使用者９０は、第３ベルト８５を右大腿部９３の内側に通し、第４ベルト８６を左大腿
部９４の内側に通寸。更に、右前身ごろ１０と後身ごろ５０との間に右腕９１を通し、左
前身ごろ３０と後身ごろ５０との間に左腕９２を通寸。
【００３６】
（３）  図７−３の前開き部連結
使用者９０は、開かれたファスナー８１を上方向に滑勣させて閉じ、外されていた２つ
のカバーバックル８７ａ、８７ｂを左右方向に閉じる。これにより、使用者９０は、浮力
補助胴衣１を着用できる。
【００３７】
（４）  図７−４の第３ベルト及び第４ベルト調整
使用者９０は、第３ベルト８５の長さ調整具８８ａ及び第４ベルト８６の長さ調整具８
８ｂを、使用者９０の体形に合わせて長さを調整する。これにより、第３ベルト８５及び
第４ベルト８６は、使用者９０が水中に転落した場合に、浮力補助胴衣１が使用者９０の
頭部方向から抜脱されるのを防止する。
【００３８】
（実施例１の収納例）
図８は、図１の浮力補助胴衣１を収納するために折り畳んだ状態を示す正面図である。
及び、図９は、図１の浮力補助胴衣１を収納する胴衣収納ケース１００を示す斜視図であ
る。
【００３９】
この図８、図９及び図４を参照しつつ、図１の浮力補助胴衣１を折り畳んで収納する例を説明する。
【００４０】
使用者は、図４のように右前身ごろ１０、左前身ごろ３０及び襟首部７０を開いた状態から、図４の矢印に示すように、右前身ごろ１０、左前身ごろ３０及び襟首部７０を後身ごろ５０の裏側に折り畳む。開かれたファスナー８１を上方向に滑動させて閉じ、外されていた２つのカバーバックル８７ａ、８７ｂを左右方向に閉じる。これにより、図１に示すように、浮力補助胴衣１の右前開き部１３及び左前開き部３３は、閉じられた状態になる。
【００４１】
この状態から、使用者は、収納袋１７ｂと収納袋１７ｃとの間を折り目にして，右前身ごろ１０を後身ごろ５０の表側に折り畳む。使用者は、収納部３７ｂと収納部３７ｃとの間を折り目にして、左前身ごろ３０を後身ごろ５０の表側に折り畳む。この時、使用者
は、右前身ごろ１０と左前身ごろ３０との折り畳みに対応した折り畳み線６０の箇所を折り目にして、後身ごろ５０を後身ごろ５０の表側に折り畳む。折り畳んだ後の状態が、図８裏側に折り畳まれる。
【００４２】
図９に示す胴衣収納ケース１００は、図８のように折り畳まれた浮力補助胴衣１を収納
するためのケースであり、平面形状が略正方形の形状で、約７〜８ｃｍの厚さの形状にな
る。胴衣収納ケース１００の側面には、開閉自在のファスナー１０１を有し、浮力補助胴
衣１を出し入れ可能にする。胴衣収納ケース１００の上面には、持ち運び用の紆１０２ａ
及び紐１０２ｂを有している。
【００４３】
使用者は、図８の状態に折り畳んだ浮力補助胴衣１を、胴衣収納ケース１００のファス
ナー１０１を開いて、胴衣収納ケース１００内に収納する。浮力補助胴衣１を収納した胴
衣収納ケース１００は、紐１０２ａ及び紐１０２ｂを用いて、例えば、椅子の背部等に設
置することが可能となる。
【００４４】
（実施例１の効果）
本実施例１によれば、次の（Ａ）〜（Ｃ）のような効果かおる。
【００４５】
（Ａ）  収納空間の小型化
浮力補助胴衣１の右前身ごろ１０の表地１５には、３つの収納袋１７ａ、１７ｂ、１７ｃが折り畳み可能に縫着されている。左前身ごろ３０の表地３５には、３つの収納袋３７
A、３７b、３７cが折り畳み可能に縫着されている。後身ごろ５０には、襟首部７０が
折り畳み可能に縫着されている。そのため、浮力補助胴衣１は折り畳みが容易であり、折
り畳むことにより小型に収納することが可能となる。例えば、学校、会社等において、胴
衣収納ケース１００に浮力補助胴衣１を折り畳んで収納し、紐１０２ａ及び紐１０２ｂを
用いて、椅子の背部等に設置することが可能となる。
【００４６】
（Ｂ）  水面における使用者の姿勢安定化
浮力補助胴衣１に襟首部７０を設けている。そのため、浮力補助胴衣１を着用して水中に転落した場合等でも、顔面を上向きにして安定して浮くことが容易となる。
【００４７】
（Ｃ）  使用後の乾燥性向上
表地１５、３５、５６、７２、裏地１６，３６，５７、７３、収納袋１７ａ、１７ｂ、
１７ｃ、３７ａ、３７ｂ、３７ｃ、５８ａ、５８ｂ、７４は、メッシュ素材の生地により
形成され、透水性を有している。そのため、浮力補助胴衣１の乾燥匹を向上させる。
【００４８】
（変形例）
本考案は、上記実施例１に限定されず、種々の利用形態や変形が可能である。その利用形態や変形例としては、例えば、次の（ｉ）〜（ｖｉｉ）のようなものかおる。
【００４９】
（ｉ）  右前身ごろ１０と左前身ごろ３０との接合部としてファスナー８１を使用した
が、面ファスナーやボタン等により接合部を形成しても良い。
【００５０】
(ｉｉ)  右前身ごろ１０と左前身ごろ３０との接合部として第５ベルト８２ａ、８２ａを使用したが、面ファスナーやボタン等により接合部を形成しても良い。
【００５１】
(ｉｉｉ)  浮力材１８ａ、１８ｂ、１８ｃ、３８ａ、３８ｂ、３８ｃ、５９ａ、５９ｂ、７５を収納した浮力材収納袋１７ａ、１７ｂ、１７ｃ、３７ａ、３７ｂ、３７ｃ、５８ａ、５８ｂ、７4は、浮力補助胴衣１に縫着されているが、これに替えて、浮力材収納
袋に浮力材耿出口を設け，浮力材１８ａ、１８ｂ、１８ｃ、３８ａ、３８ｂ、３８ｃ、５９ａ、５９ｂ、７５を取出し自在に収納しても良い。浮力材１８ａ、１８ｂ、１８ｃ、３８ａ、３８ｂ、３８ｃ、５９ａ、５９ｂ、７５を取出し自在にすることにより，浮力材の
枚数を変更したり，異なる材質の浮力材に替えることが容易となり，浮力の調整が可能と
なる。
【００５２】
（ｉｖ）  右前身ごろ１０には３つの収納袋１７ａ、１７ｂ、１７ｃを設け，左前身ご
ろ３０には３つの収納袋３７ａ、３７ｂ、３７ｃを設けたが，それぞれ２つ又は４つ以上
の収納袋を設けても良い。個数を増やすことにより，使用者の動きに応じて使用者の作業
性が良好になる。
【００５３】
（ｖ）  図１の浮力補助胴衣１は，大人用の浮力補助胴衣であるが，形状が同様で寸法
を全体として小さくした子供用の浮力補助胴衣でも同様の効果が得られる。
【００５４】
（ｖｉ）  図１の浮力補助胴衣１には，使用者の転落等防止用として，フックを取付け、ベルトを介して浮力補助胴衣１に縫着しても良い。
【００５５】
（ｖｉｉ）  図１の浮力補助胴衣１には，緊急時に周囲に知らせるため，笛を取付け，
紐を介して浮力補助胴衣１に縫着しても良い。
【符号の説明】
【００５６】
１  浮力補助胴衣
１０  右前身ごろ
３０  左前身ごろ
５０  後身ごろ
７０  襟首部
１３  右前開き部
３３  左前開き部
１５、３５、５６、７２、  表地
１６、３６、５７、７３、  裏地
１７ａ、１７ｂ、１７ｃ、３７ａ、３７ｂ、３７ｃ、５８ａ、５８ｂ、７４  収納部
１８ａ、１８ｂ、１８ｃ、３８ａ、３８ｂ、３８ｃ、５９ａ、５９ｂ、７５  浮力材
８１  ファスナー
８２ａ、８２ｂ  第５ベルト
８３ａ、８３ｂ  第１ベルト
８４ａ、８４ｂ  第２ベルト
８５  第３ベルト
８６  第４ベルト
【図１】
0003202718.tif 000003
【図２】
0003202718.tif 000004
【図３】
0003202718.tif 000005
【図４】
0003202718.tif 000006
【図５】
0003202718.tif 000007
【図６−１】
0003202718.tif 000008
【図６−２】
0003202718.tif 000009
【図６−３】
0003202718.tif 000010
【図６−４】
0003202718.tif 000011
【図７−１】
0003202718.tif 000012
【図７−２】
0003202718.tif 000013
【図７−３】
0003202718.tif 000014
【図７−４】
0003202718.tif 000015
【図８】
0003202718.tif 000016
【図９】
0003202718.tif 000017